(57)【要約】【課題】本発明の目的は、使用後、折り畳んでバックに収納する必要が全くなく、且つ折りグセや折り目等が残らない防災頭巾を有する防災用カバンを提供すること。【解決手段】  カバン本体１が頭部及び肩部を覆う防災頭巾に変形可能な防災用カバンであり、カバン本体が第一側辺部１Ａ、上辺部１Ｂ、第二側辺部１Ｃ、底辺部１Ｄを有する矩形状であり、上辺部１Ｂ、第二側辺部１Ｃ、及び底辺部１Ｄの一部がファスナーＦにより開閉自在となっている。  また、カバン本体内部に対してインナー袋２が着脱自在となっている。【効果】本発明によれば、ファスナーを全開にすることで、簡単に頭部及び肩部を防護する防災頭巾に転用して使うことができる。  カバン本体を防災頭巾に変えるには、ファスナーを単に移動させる操作だけでよいために、瞬時的にカバン本体を防災頭巾に変えることができる。  【選択図】図２
2007037602.tif 000002
【特許請求の範囲】
【請求項１】
カバン本体が頭部及び肩部を覆う防災頭巾に変形可能な防災用カバン。
【請求項２】
カバン本体が第一側辺部、上辺部、第二側辺部、底辺部を有する矩形状であり、上辺部、第二側辺部、及び底辺部の一部がファスナーにより開閉自在となっている請求項１記載の防災用カバン。
【請求項３】
カバン本体内部に対してインナー袋が着脱自在となっていることを特徴とする請求項１記載の防災用カバン。
【請求項４】
カバン本体内部に防災頭巾使用時に使う締め付け用の紐体を備えたことを特徴とする請求項１記載の防災用カバン。
【請求項５】
インナー袋は掛止テープによって着脱自在となっていることを特徴とする請求項３記載の防災用カバン。
【請求項６】
カバン本体が衝撃防止可能な布材よりなることを特徴とする請求項１記載の防災用カバン。
【請求項７】
取っ手が取り外し自在となっていることを特徴とする請求項１記載の防災用カバン。
【請求項８】
インナー袋が背負い可能な形状となっていることを特徴とする請求項３記載の防災用カバン。
【発明の詳細な説明】
【技術分野】
【０００１】
本発明は防災頭巾に転用できるカバンに関する。
【背景技術】
【０００２】
災害の発生時には、身の回りの必需品を持って緊急に避難しなければならない場合があり、そのため必需品を収納するための避難用の収納バックが必要である。
また災害によっては、避難の際、落下物等から身を守る必要があり、そのためにも頭部を守るための防災用頭巾は極めて有用である。
このようなことから、防災頭巾を着用すると共にバックに必要品を収納して緊急避難することができるように収納バック等に防災頭巾を備えたものが開発されている。
例えば、バックと防災頭巾とをセットにした防災用具として、特開平８−２２４１２２に開示にされているようなものがある。
【０００３】
すなわち、リュックサックに頭部や肩部付近を守るための防災頭巾が付属されている、いわゆる防災頭巾付きバックである。
このようなリュックサックでは、防災頭巾がその中に折り畳まれており、緊急必要時に外に取り出し頭巾状に広げて使用することができる。
飽くまでも、この防災頭巾はリックサックの付属的な位置づけであり、容易に折り畳めるような簡単な構造となっている。
【０００４】
しかし使用後は、小さく折り畳んでリュックサックに収納しなければならないため面倒である。
また頭巾自体は折り畳んでリュックサック内に収納できるように比較的折曲自在な材質に限られ、自ずと厚地のものや腰のある材料のものは使えない。
このようなことから、防災頭巾とした場合に、折りグセや折り目等が残ったり、また厚地のものが使えないことから落下物による衝撃に対し十分対応できない恐れがある。
【特許文献１】特開平８−２２４１２２
【発明の開示】
【発明が解決しようとする課題】
【０００５】
本発明はこのような問題点を解決するためになされたものである。
すなわち、本発明は、使用後、折り畳んでバックに収納する必要が全くなく、且つ折りグセや折り目等が残らない防災頭巾を有する防災用カバンを提供することである。
【課題を解決するための手段】
【０００６】
上記問題を解決するために、本発明者は鋭意研究を重ねた結果、バックそのものに付いているファスナーを開くことにより簡単に且つ素早く防災頭巾に変える構造としたことで、上記の問題点を解決できることを見出し、この知見に基づいて本発明を達成したものである。
【０００７】
すなわち本発明は、（１）、カバン本体が頭部及び肩部を覆う防災頭巾に変形可能な防災用カバンに存する。
【０００８】
すなわち本発明は、（２）、カバン本体が第一側辺部、上辺部、第二側辺部、底辺部を有する矩形状であり、上辺部、第二側辺部、及び底辺部の一部がファスナーにより開閉自在となっている上記（１）記載の防災用カバンに存する。
【０００９】
すなわち本発明は、（３）、カバン本体内部に対してインナー袋が着脱自在となっている上記（１）記載の防災用カバンに存する。
【００１０】
すなわち本発明は、（４）、カバン本体内部に防災頭巾使用時に使う締め付け用の紐体を備えた上記（１）記載の防災用カバンに存する。
【００１１】
すなわち本発明は、（５）、インナー袋は掛止テープによって着脱自在となっている上記（３）記載の防災用カバンに存する。
【００１２】
すなわち本発明は、（６）、カバン本体が衝撃防止可能な布材よりなる上記（１）記載の防災用カバンに存する。
【００１３】
すなわち本発明は、（７）、取っ手が取り外し自在となっている上記（１）記載の防災用カバンに存する。
【００１４】
すなわち本発明は、（８）、インナー袋が背負い可能な形状となっている上記（３）記載の防災用カバンに存する。
【００１５】
なお、本発明の目的に沿ったものであれば（１）〜（８）の二つ以上の組み合わせも当然可能である。
【発明の効果】
【００１６】
本発明によれば、カバン本体が第一側辺部、上辺部、第二側辺部、底辺部を有する矩形状であり、上辺部、第二側辺部、及び底辺部の一部がファスナーにより開閉自在となっていることから、ファスナーを全開にすることで、簡単に頭部及び肩部を防護する防災頭巾に転用して使うことができる。
カバン本体を防災頭巾に変えるには、ファスナーを単に移動させる操作だけでよいために、瞬時的にカバン本体を防災頭巾に変えることができる。
また、使用後、カバン本体に戻すには、同様にファスナーを元に戻すように移動させる操作だけで十分であり、上記同様に瞬時的に防災頭巾からカバン本体に変えることができる。
【発明を実施するための最良の形態】
【００１７】
以下、図面に基づき、本発明による防災用カバンの好適な実施形態に付いて説明をする。
【００１８】
〔第一の実施の形態〕
図１は本発明の実施の形態に係る防災カバンを正面図で示した概略図である。
図２は防災カバンにおけるカバン本体からインナー袋を取り出した状態を説明する図である。
本発明は、防災頭巾に変えることが可能なカバン本体１、及びそのカバン本体内部に脱着自在となっているインナー袋２を備える。
【００１９】
カバン本体１は、図に示すように、矩形状に形成されており、第一側辺部１Ａ、上辺部１Ｂ、第一側辺部１Ａに対向する第二側辺部１Ｃ、及び上辺部１Ｂに対向する底辺部１Ｄを備えている。
【００２０】
カバン本体１の上辺部１Ｂと第二側辺部１Ｃ、更に第二側辺部１Ｃから底辺部１Ｄの一部にかけては、ファスナーＦが取り付けられており開閉自在となっている。
このファスナーＦは摘まみ部Ｆ１を移動させることで簡単に開くことができ、ファスナーＦを全開した場合には、略コの字状の開口部が現れる。
なお、第一側辺部１Ａは、後述するように防災頭巾に変更した場合に、頭頂部を覆うものであり、当然、開口しない。
【００２１】
カバン本体１には取っ手１１が備わっており、該取っ手１１は、後述するように、カバン本体１を実際に防災頭巾として使用した場合に支障にならないように、カバン本体１に対して取外し可能となっている。
そのため防災頭巾を着用した場合、邪魔にならずに、移動中、他のもの（障害物等）に引っ掛かるような危険はない。
【００２２】
一方、カバン本体１に対し脱着自在に取り付けられているインナー袋２は、カバン本体１の中に十分収納できる大きさとなっており、収納された際、カバン本体１の内側面の一部とインナー袋２の外側面の一部とは仮固定される。
【００２３】
例えば、図２に示すように、カバン本体１の内側面に掛止テープＴを、インナー袋２の外側面にも対向するように掛止テープＴを設けておけばよい。
こうすることでカバン本体１の中にインナー袋２を収納した場合に、カバン本体１を激しく動かしてもインナー袋２自体が内部で遊んで移動するようなことはなく、安定した状態に維持される。
この場合、カバン本体１の掛止テープＴかインナー袋２の掛止テープＴのどちらかを、大きくしておくことで自由度が生じ、インナー袋２が多少ずれても取付け易い。
【００２４】
なお、インナー袋２とカバン本体１との仮固定には、掛止テープ以外にも、ボタン等も採用でき、その位置、箇所等も適宜設定可能である。
災害時にはインナー袋２を取り出して使うことを考えると、要は、なるべく余計な手間や力を必要とせず、素早くカバン本体１からインナー袋２が取り外せるものであればよい。
【００２５】
次に災害に遭遇した際、実際にカバンから防災頭巾へと変形させる手順を説明する。
図３は、ファスナーを開く手順を説明する図であり、（Ａ）はファスナーＦを開く前の状態、また（Ｂ）はファスナーＦを開いた後の状態を示す。
まず最初に、カバン本体１において、上辺部１Ｂの左端に位置する摘まみ部Ｆ１を、右方向に移動させていく。
摘まみ部Ｆ１は上辺部１Ｂを右に移動、第二側辺部１Ｃを下に移動、底辺部１Ｄの一部を左に移動し、その結果、カバン本体１のファスナーＦは略コの字状に開口される〔図３（Ａ）→図３（Ｂ）〕。
その後、防災頭巾とした際、不必要となる取っ手１１を取り外す。
【００２６】
次に図４に示すように、開口部を押し広げて、一部を左右外方向に広げるように折り曲げると、立体的な防災頭巾の形に変形する〔図４（Ａ）→図４（Ｂ）〕。
この場合、第一側辺部１Ａから底辺部１Ｄの一部へかけての領域が頭覆部Ｘとなり、上辺部１Ｂ、第二側辺部１Ｃ、底辺部１Ｄで囲まれる一部の領域が肩覆部Ｙとなる。
【００２７】
図５は実際にこの防災頭巾を着用した状態を示す図である。
図５から分かるように、本発明の防災頭巾を着用した際、頭覆部Ｘにより使用者の頭部が保護されると共に肩覆部Ｙにより使用者の肩部も保護される。
頭覆部Ｘと肩覆部Ｙとは一体に連続しているために強度的にも強いものとなっている。
【００２８】
上記のようにカバン本体１の全体が防災頭巾を構成するので、カバン本体１の材料には衝撃に十分耐えるようなものを使うことが好ましい。
【００２９】
さて、カバン底辺部１Ｄのファスナー部（すなわち開口する部分）の長さＬは製作段階で長さを異なるサイズに設定することは容易であるので、購入者の身体に合ったものを製作することができる。
【００３０】
すなわち、図６（Ａ）、（Ｂ）に示すように、開口部の長さＬを短くとれば、肩覆部Ｙは小さくなり、逆にその分、頭覆部Ｘは大きくなる。
【００３１】
今度は、図７（Ａ）、（Ｂ）のように、長さＬを長くとると、肩覆部Ｙは大きくなり、逆にその分、頭覆部Ｘは小さくなる。
このように長さＬの長短により、頭覆部Ｘと肩覆部Ｙとの大きさのバランスを調整することができる利点がある。
【００３２】
〔第２の実施の形態〕
ところでカバン本体１の内部に収納されたインナー袋２は着脱自在であるために、例えば掛止テープＴが外れるとインナー袋２が移動する場合がある。
このような時に、カバン本体１の内部の手前と奥の面にインナー袋２を保持するための締め付け用の紐体１２を設けることが好ましい。
図８に示すように、紐体１２を結んでインナー袋２を保持することにより、インナー袋自体が内部で遊んで移動するようなことは起きない。
【００３３】
またこの紐体１２は、図９に示すように、着用時に首の前で結ぶことで防災頭巾が締まって頭部にフイットするため激しく動いてもズレない。
この意味で、紐体１２は、カバン本体１を防災頭巾に変えた場合に使えるような位置、すなわちカバン本体１でいうと底辺部１Ｄのファスナーの開口端近傍に設けることが好ましい。
【００３４】
〔第３の実施の形態〕
図１０は、カバン本体の防御機能をより充実させた例である。
カバン本体の底辺部１Ｄから上方に向けて補強ベルト１３を取付けており、この補強ベルト１３に取っ手１１をバックル具で取り外し自在にしたものである。
防災頭巾に変えた状態では、図１１に示すように、この補強ベルト１３が、丁度、後頭部に位置し、それを保護するために、後頭部への衝撃にも、十分、対応できる。
【００３５】
〔第４の実施の形態〕
この実施の形態は、カバン本体に着脱自在となっているインナー袋２に工夫を施した例である。
図１２（Ａ）に示すような背負ベルト２１を取付けて緊急時に背負い可能とすることで、両手の自由が確保されスムーズで迅速な避難が可能となる。
また、図１２（Ｂ）のように取っ手２２を右上の角隅部に取付けて持ち運びできるようにすることも可能であり、この場合、取っ手を長くすることで肩に掛けることもできる。
【００３６】
以上述べたように、本発明は、通常時に、カバン本体１内のインナー袋２に緊急用の必需品を収納しておく。
そして災害時には、カバン本体１からインナー袋２を素早く取り出し、そのまま避難することができる。その際、カバン本体のファスナーを開いて防災頭巾に変え、それを被って逃げることができ安全である。
カバン本体から防災頭巾に変える場合は、単にファスナーを開くだけで瞬時的に防災頭巾となる。
使用後は、防災頭巾となったカバン本体にインナー袋２を収め、ファスナーを閉じるだけで簡単に元のカバン本体に戻る。
【００３７】
本発明によれば、日常の生活で使う時には市販されているカバン同様にカバンとして機能するものであるが、災害などの緊急時にはファスナーを開くだけという極めて簡単な操作で頭部及び肩を落下物等による衝撃から守る防災頭巾に転用することができる。
また、折り畳むことがないために、厚地にして十分な衝撃力に耐えるものにすることができる。
以上、本発明を説明してきたが、本発明は実施の形態に限定されることなく種々の変形例が可能である。例えば、インナー袋の形状は矩形に限らず、長円等のものでもよい。
【図面の簡単な説明】
【００３８】
【図１】図１は、本発明の実施の形態に係る防災カバンの正面図を示した概略図である。
【図２】図２は防災カバンのカバン本体からインナー袋を取り外した状態を説明する図である。
【図３】図３は、ファスナーを開く手順を説明する図であり、（Ａ）はファスナーＦを開く前の状態、また（Ｂ）はファスナーＦを開いた後の状態を示す。
【図４】図４は、防災頭巾へと立体状に変形させる状態を説明する図であり、（Ａ）は少し開いた状態、また（Ｂ）は防災頭巾の形状になった状態を示す。
【図５】図５は防災頭巾を着用した時の状態を説明する図である。
【図６】図６は、底辺部の開口長さＬが長い場合を説明する図であり、（Ａ）はカバン状態、また（Ｂ）は防災頭巾状態を示す。
【図７】図７は、底辺部の開口長さＬが短い場合を説明する図であり、（Ａ）はカバン状態、また（Ｂ）は防災頭巾の状態を示す。
【図８】図８は、紐体を結んでインナー袋を保持した状態を説明する図である。
【図９】図９は、着用時に首の前で紐体を結んだ状態を説明する図である。
【図１０】図１０は、カバン本体に補強ベルトが備わっている例を説明する図である。
【図１１】図１１は、図１０のカバン本体を防災頭巾とした状態を説明する図である。
【図１２】図１２はインナー袋の変形例を示す説明する図であり、（Ａ）は、背負いベルトを備えたインナー袋、（Ｂ）は、取っ手２２を備えたインナー袋を示す。
【符号の説明】
【００３９】
１      カバン本体
１Ａ    第一側辺部
１Ｂ    上辺部
１Ｃ    第二側辺部
１Ｄ    底辺部
１１    取っ手
１２    紐体
１３    補強ベルト
２    インナー袋
２１    背負ベルト
２２    取っ手
Ａ    防災用カバン
Ｆ    ファスナー
Ｆ１    摘まみ部
Ｘ    頭覆部
Ｙ    肩覆部
Ｔ    掛止テープ
【図１】
2007037602.tif 000003
【図２】
2007037602.tif 000004
【図３】
2007037602.tif 000005
【図４】
2007037602.tif 000006
【図５】
2007037602.tif 000007
【図６】
2007037602.tif 000008
【図７】
2007037602.tif 000009
【図８】
2007037602.tif 000010
【図９】
2007037602.tif 000011
【図１０】
2007037602.tif 000012
【図１１】
2007037602.tif 000013
【図１２】
2007037602.tif 000014